(57)【要約】      （修正有）【課題】組織や細胞による病理組織診断における病理診断報告書作成支援装置を提供する。【解決手段】キーワードと肯定／否定に関する係り受けを調べ、それがグループ分類（良性／悪性／炎症など）のどの場合に用いられるのかということと、診断された疾患がどのグループ分類にあるのかという整合性を見ることにより、疾患と病理所見との医学的な矛盾のチェックを行うことができる。また、診断情報の詳細項目については、病理所見の記述を記号により簡潔にしたものであるため、病理所見のキーワード＋係り受けと診断情報の詳細項目との整合性を同じように確認することができる。病理所見には最小限記述すべきことがあるが、それらに抜けがないかどうかについても、異なる表現で記述されている場合でもチェックすることができる。【選択図】図３
2015095248.tif 000002
【特許請求の範囲】
【請求項１】
複数の病理診断所見情報を保管する所見情報格納手段と、
これらの所見情報を解析してその結果を保管する解析結果格納手段と、
所見の解析結果と用語辞書をもとに、診断された疾患と所見の情報との整合性を調べる疾患・所見整合性チェック手段と、
所見の解析結果と一覧表、用語辞書をもとに、診断情報と所見情報との整合性や抜けなどがないかどうか調べる診断情報項目チェック手段と、
これらのチェック結果を表示する表示手段と、
を含むことを特徴とする病理診断報告書作成支援装置。
【請求項２】
所見の解析結果の中のキーワード・係り受けのグループ分類（良性／悪性／炎症などの分類）と疾患のグループ分類との整合性を調べることにより疾患・所見整合性チェック手段を含む
ことを特徴とする請求項１に記載の病理診断報告書作成支援装置。
【請求項３】
所見の解析結果の中のキーワード・係り受け結果と、診断情報中の記号による詳細項目と比較し、診断情報と所見情報との整合性や抜けなどがないかどうか、用語辞書と一覧表をもとに調べる診断情報項目チェック手段を含む
ことを特徴とする請求項１に記載の病理診断報告書作成支援装置。
【発明の詳細な説明】
【技術分野】
【０００１】  本発明は、コンピュータ診断支援における診断報告書作成支援装置に関するものであり、特に、組織や細胞による病理組織診断における病理診断報告書作成支援に関するものである。
【背景技術】
【０００２】  「病理診断」とは、病理医が癌などの生体組織の一部を標本として顕微鏡下で観察し、複雑な組織像を解析し診断を下す医療行為をいう。たとえば胃にポリープが見つかった場合、採取したポリープの標本を病理医が鏡検し、ポリープが癌かどうかを調べる。ここで「胃癌」と「病理診断」されて初めて患者に癌治療が行われる。このように病理診断は患者にとっての確定診断となるため見落としや誤診があってはならない。【０００３】  病理診断書の内容は、患者情報、受付材料、臨床診断名、病理診断名、採取法、病理所見など多岐にわたるが、上記の病理診断において重要な病理診断名と病理所見におけるミスが誤診につながることが多いため、人手による二重・三重のチェックが行われている。【０００４】  病理診断名は、一般的には第１文で診断の結果すなわち疾患名を簡潔に記述する。次にその診断内容の詳細情報を記述する。診断結果が乳癌の場合はこの詳細情報は乳癌取扱い規約にしたがって記号や数値などを用いて表現する。【０００５】  病理所見は、病理検体を観察し、その様子を詳細に記述する。一般的には、手術によって摘出された検体の場合、最初に摘出された検体全体の基本情報（部位、大きさ、質量など）を記述する。それに続いて肉眼で観察した際に発見された異常（病変）の個数や位置、状態を記述する。次に、顕微鏡を用いて細胞レベルで検体を観察した内容の記述を行う。所見には検体の詳細な状態を忠実に記述する必要があるため、自由入力を採用している。【０００６】  つぎに既存の病理診断書あるいは医療一般の診断書に関わる、入力支援や間違い防止などの事例をあげる。【０００７】オントロジーを利用したテキスト入力支援：
病理診断報告書作成のためのオントロジーを利用したテキスト入力支援では、胃癌の状態や治療記録に関する情報や、胃癌の進行度や治療・診断を記録するための、原発巣、転移や進行度といった腫瘍の状態と、手術や内視鏡治療の根治性や薬物の効果などの治療の評価を記録するための基本となる規則などを、オントロジー（ある分野における概念とそれら概念間の関係も表せるような形式的な知識表現）として知識表現しておく。ユーザがブラウザ上でテキストを入力すると、入力文字列をシステムへ送信する．システムは受信したテキストから辞書、文法、オントロジーを参照して、次に入力補完候補（ガイド）をユーザへフィードバックすることにより、正しい所見文章を記述できるように支援する。【０００８】コード化による間違い防止：
オーダ番号や標本番号など標本を識別する番号をバーコード化し、スライドラベル等に使用することで入力間違いを防止できる。臓器名、診断名についても、画面からコード入力することで、名称を自動入力する機能を用意しているため、スペルミスなど単純な入力間違いを防ぐことができる。【０００９】テンプレート：
テンプレートの内容誘導により所見を簡単に入力する事ができ、項目の漏れを防止できる。テンプレートより選択・入力されたデータから自然な日本語を作成することも可能である。
【先行技術文献】
【特許文献】
【００１０】
【非特許文献１】  橋本泰一ほか、病理診断報告書作成のためのオントロジーを利用したテキスト入力支援  言語処理学会第１７回年次大会発表論文集（２０１１年３月）
【非特許文献２】  村田泰三ほか、動的テンプレート入力を利用した臨床情報ＤＢの構築  第１４回日本医療情報学会春季学術大会（２０１０年５月）
【発明の概要】
【発明が解決しようとする課題】
【００１１】  オントロジーを利用した入力を支援する場合、利用者は思い通り自由に入力することができないため、煩雑に感じて支援機能を解除してしまうことや、ガイドに従わずに入力することが出てくる。また、オントロジーは癌取り扱い規約などの情報をもとに知識構造をセマンティックエディタなどにより構成するが、このオントロジーの作成や、情報が変更された場合のオントロジーの変更に手間がかかることなどの問題がある。【００１２】  テンプレート形式では多様な診断結果に対応した報告書を作成することが困難である。テンプレートやコード化では、そのつど入力する表現のスペルチェックなど簡単なことは行うことができるが、診断名と所見の各表現との医学的な間違いのチェックをすることができない。【００１３】  このような状況から、入力時に支援するよりは、入力した後の文書をチェックして間違いを指摘した方が効率がよい。病理診断では、一般に別の病理医がダブルチェックを行って間違いを減らすようにしており、ダブルチェック時に、間違いを表示することに効果がある。【００１４】  間違いについて重要なことは、医学的に矛盾した記述を指摘することであるが、すでに入力済みの病理診断書の医学的矛盾を指摘することが必要である。【００１５】  たとえば、診断で「線維腺腫」と記述されており、所見中に「これらの標本に悪性所見が認められます。」というような記述があった場合、線維腺種は良性腫瘍であるため、「悪性所見が認められます。」は間違いであると指摘することが必要である。【００１６】  また、病理診断書の文章は以下のような特徴がある。
（１）同じ内容を異なる表現を用いている。
キーワード：例えば、異型核、核異型、腫大した異型核は同義
係り受けの場合：例えば、（＋）、著しい、帯びる、観察されは同義
（３）英文も混在している。（例えば、核多型化、ｂｉｚａｒｒｅな核は同義）
（４）同じキーワードでも係り受けの違いにより、意味が正反対になる場合がある。（        例えば、細胞密度が高い、細胞密度が低いなど）【００１７】  これらの特徴を踏まえて、異なる表現や係り受けの違いを認識して、間違いを指摘することが必要である。
【課題を解決するための手段】
【００１８】  本発明の目的は、上述した事情に鑑みなされたもので、この発明の主たる目的は、病理診断書が与えられたときに、診断に対して診断の詳細な記述や病理所見の記述の内容に医学的な間違いがないかどうかチェックを行うことである。【００１９】  上述した問題を解決し、目的を達成するため、本発明に係わる病理診断報告書作成支援装置は、請求項１の記載によれば、複数の病理診断所見情報を保管する所見情報格納手段と、これらの病理所見情報を解析してその結果を保管する解析結果格納手段と、病理所見の解析結果と用語辞書をもとに、診断された疾患と病理所見の情報との整合性を調べる疾患・所見整合性チェック手段と、病理所見の解析結果と一覧表・用語辞書をもとに、診断情報と所見情報との整合性や抜けなどがないかどうか調べる診断情報項目チェック手段と、これらのチェック結果を表示する表示手段と、を含むことを特徴とする。【００２０】  また、本発明に係わる病理診断報告書作成支援装置は、請求項２の記載によれば、所見の解析結果の中のキーワード・係り受けのグループ分類（良性／悪性／炎症などの分類）と疾患のグループ分類との整合性を調べることにより疾患・所見整合性チェック手段を含むことを特徴とする。【００２１】  また、本発明に係わる病理診断報告書作成支援装置は、請求項３の記載によれば、病理所見の解析結果の中のキーワード・係り受け結果と、診断情報中の記号による詳細項目と比較し、診断情報と所見情報との整合性や抜けなどがないかどうか、用語辞書と一覧表をもとに調べる診断情報項目チェック手段を含むことを特徴とする。
【発明の効果】
【００２２】  本発明によれば、病理診断報告書の診断された疾患名と病理所見の各表現との間に医学的な矛盾があれば、具体的に指摘することができる。【００２３】  また、本発明によれば、病理診断報告書の病理診断名における疾患名と記号によって表現された診断内容の各詳細情報との間に医学的あるいは論理的な矛盾があれば、具体的に指摘することができる。【００２４】  さらに、本発明によれば、病理診断報告書の病理診断名における記号表現に抜けがないかどうかと、記号表現と病理所見の各表現との間に医学的あるいは論理的な矛盾があれば、指摘することができる。
【図面の簡単な説明】
【００２５】
【図１】診断書チェックの流れの一例
【図２】機器構成
【図３】システム全体のブロック図
【図４】疾患・所見整合性チェック処理部のフローチャート
【図５】診断情報項目チェック処理部のフローチャート
【図６】病理診断書の例
【図７】病理診断書の例に対するチェック結果の例
【図８】用語辞書の例
【図９】乳腺疾患名一覧表（部分）
【図１０】病理診断詳細項目チェック一覧表
【発明を実施するための形態】
【実施例】
【００２６】  以下、本発明を実施するための形態を図面にしたがって説明する。図２は、本発明の病理診断報告書作成支援装置（以下、報告書作成支援装置とする。）の実施形態に係わるハードウェア構成図である。図３は、本発明の報告書作成支援装置の機能ブロック図である。【００２７】  本発明の報告書作成支援装置は、図２によれば、報告書作成支援装置としてのコンピュータ１０と、診断所見などが格納されている電子カルテデータベース装置２０とから構成されている。なお、コンピュータ１０には、データ入力や各種の処理を指示するためのキーボードやポインティングデバイスと、処理結果等を表示するための結果表示部等が接続されている。【００２８】  図３は、報告書作成支援装置の機能ブロック図を示すものである。入力部１００は、図２の電子カルテデータベース装置から病理診断報告書をテキストデータとして取り込む。病理では、胃癌、肺癌、脳腫瘍などの体の各部位の癌などの診断を行うが、ここでは乳癌を含む乳腺疾患を例として示す。【００２９】  入力された診断報告書の例は図６にある。報告書作成支援装置では、診断名と病理所見の項目を用いてチェックする。診断名項目では、疾患名が英語あるいは日本語で記述され、リンパ管侵襲などの詳細情報は乳癌取扱い規約にしたがって記号や数値などを用いて記述される。所見項目では、病理検体を観察し、その様子を詳細に自由入力により記述する。専門用語については、英語で記述されることも多いが、スペルミスが多いため、スペルチェック部１１０によりスペルの修正を行う。これは、公知の一般的なスペルチェックの手法を用いて行う。このスペルチェックされた結果は、所見情報保管部１３０に格納される。【００３０】  形態素解析・係り受け解析処理部１２０においては、スペルチェックされたすべての病理診断報告書テキストに対して、定型化されていない文章の集まりを自然言語解析の手法を使って単語やフレーズに分割し、それらの出現頻度や相関関係を分析して有用な情報を抽出する手法（テキストマイニング）により、キーワードとそのキーワードに主語述語の関係を持つ述語の抽出を行い、その解析結果を解析結果保管部１５０に格納する。これは、公知の一般的なテキストマイニングの手法を用いて行う。さらに、述語部にあたる係り受け情報を解析して、キーワードが肯定的に使われているか否定的に使われているかを見て、この結果も解析結果保管部１５０に格納する。例えば、「篩状構造を示す浸潤性乳管癌（乳頭腺管癌）が認められ、」という文章の一部からは、「篩状構造を［篩状構造］−＞示す  肯定」というように、「［篩状構造］」がキーワードであり、「示す」が肯定の係り受けであるという解析結果を取り出す。どの単語が診断に関わるようキーワードであるのかについては、用語辞書１５０に一覧が格納されており、例が図８にある。【００３１】  疾患名抽出処理部１４０では、詳細情報を含む診断項目から疾患名一覧表１４５に対応する疾患名を抽出し、解析結果保管部１５０に格納する。このとき、対応するグループ分類情報も取り込んで格納する。【００３２】  疾患・所見整合性チェック処理部１６０では、疾患名に対応したグループ分類と、キーワード係り受け結果に対��したグループ分類との整合性のチェックを行い、その結果を結果表示部１７０に送る。例えば、疾患名が「乳頭腺管癌」であれば、図９の疾患名一覧表から「悪性」であることが示され、キーワード係り受けが「「篩状構造を［篩状構造］−＞示す  肯定」であれば、図８の用語辞書のグループ分類から「悪性」と「境界悪性」であることが示される。疾患名の「悪性」は、キーワード係り受けの「悪性」と「境界悪性」に含まれるので、整合性があると判断される。もし、「篩状構造」が否定的に用いられていれば、グループ分類は「乳腺症」、「その他」、「正常」と「良性」となるので、「悪性」はこれらにないため、矛盾していると判断される。【００３３】  診断情報項目チェック処理部２１０では、まず、診断名の各詳細項目が、診断詳細情報一覧表２００のどの項目にあたるのかを調べ、さらにその中のどのパラメータに対応するのかを調べる。つぎに、解析結果保管部１５０に格納されたキーワード係り受け結果から、診断詳細情報一覧表のどの項目にあたるのかを調べ、さらにその中のどのパラメータに対応するのかを調べる。診断名の各詳細項目と、対応するキーワード係り受け結果のパラメータ部分の肯定／否定の整合性、肯定の場合の番号などの整合性が合っているかどうかを調べて、結果表示部２３０へ送る。例えば、診断名の詳細項目では「ｖ１」、キーワード係り受け結果では「静脈侵襲は［静脈侵襲］−＞確認されません。」のような場合、一方は肯定で、他方は否定であるため、矛盾していると判断される。また、最小限記述する必要がある項目に、結果がない場合はその項目が抜けている旨を示す。
【図１】
2015095248.tif 000003
【図２】
2015095248.tif 000004
【図３】
2015095248.tif 000005
【図４】
2015095248.tif 000006
【図５】
2015095248.tif 000007
【図６】
2015095248.tif 000008
【図７】
2015095248.tif 000009
【図８】
2015095248.tif 000010
【図９】
2015095248.tif 000011
【図１０】
2015095248.tif 000012